【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
第１のレンズを介して入射する被写体の入射光により第１の処理フレームで、第１の映像信号を出力する第１の撮像素子の動作を制御する第１の撮像制御部と、
前記第１の処理フレームで前記第１の映像信号を記録する複数の第１の映像信号記録媒体へのアクセスを制御する第１のアクセス制御部と、
前記第１のレンズから所定の距離だけ離して配置され、第２のレンズを介して入射する被写体の入射光により第２の処理フレームで、第２の映像信号を出力する第２の撮像素子の動作を制御する第２の撮像制御部と、
前記第２の処理フレームで前記第２の映像信号を記録する複数の第２の映像信号記録媒体へのアクセスを制御する第２のアクセス制御部と、
前記第１のアクセス制御部がアクセスする一の前記第１の映像信号記録媒体の残容量が不足すると、一の前記第１の映像信号記録媒体とは異なる他の第１の映像信号記録媒体へアクセスを切替えるタイミングを通知する第１の同期制御部と、
通知された前記タイミングに同期して、前記第２のアクセス制御部がアクセスする一の前記第２の映像信号記録媒体とは異なる他の前記第２の映像信号記録媒体へアクセスを切替えさせる制御を行う第２の同期制御部と、を備える
立体映像撮像システム。
【請求項２】
前記第１のアクセス制御部は、前記第１の映像信号をクリップ単位で前記第１の映像信号記録媒体に記録し、前記第１の映像信号のクリップ名称を前記第２の同期制御部に通知すると共に、前記第２の同期制御部から受け取った前記第２の映像信号のクリップ名称を前記第１の映像信号記録媒体に記録する制御を行い、
前記第２のアクセス制御部は、前記第２の映像信号をクリップ単位で前記第２の映像信号記録媒体に記録し、前記第２の映像信号のクリップ名称を前記第１の同期制御部に通知すると共に、前記第１の同期制御部から受け取った前記第１の映像信号のクリップ名称を前記第２の映像信号記録媒体に記録する制御を行う
請求項１記載の立体映像撮像システム。
【請求項３】
さらに、前記第１の撮像素子が前記第１の処理フレームの間に挿入する第１の垂直同期信号の発生回数を計数する第１の計数部と、
前記第２の撮像素子が前記第２の処理フレームの間に挿入する第２の垂直同期信号の発生回数を計数する第２の計数部と、を備え、
前記第１の同期制御部は、前記第１のアクセス制御部が一の前記第１の映像信号記録媒体から他の前記第１の映像信号記録媒体にアクセスを切替える場合に、前記第２の処理フレームの間に挿入されている垂直同期信号の発生回数と、前記第１の処理フレームの間に挿入されている垂直同期信号の発生回数との差分値により前記第２の処理フレームの間に挿入されている垂直同期信号の発生回数を算出し、前記第２の処理フレームの間に挿入されている垂直同期信号の発生回数に基づいて、前記第１の映像信号記録媒体へのアクセスを切替えるタイミングを前記第２のアクセス制御部に通知した時点より所定期間の経過後に、前記第１のアクセス制御部が前記第１の映像信号記録媒体へのアクセスを切替える制御を行い、
前記第２の同期制御部は、前記第１の同期制御部に、前記第２の処理フレームの間に挿入されている垂直同期信号の発生回数を知らせると共に、前記第１の同期制御部から前記通知を受けた時点より前記所定期間の経過後に、前記第２のアクセス制御部が一の前記第２の映像信号記録媒体へのアクセスを他の前記第２の映像信号記録媒体に切替える制御を行う
請求項１又は２記載の立体映像撮像システム。
【請求項４】
前記第１及び第２のアクセス制御部は、それぞれ前記第１及び第２の映像信号の一の前記第１及び第２の映像信号記録媒体への書込み途中で他の第１及び第２の映像信号記録媒体にアクセスを切替えた場合に、切替え前後に発生したクリップをまとめたテイク単位で前記第１及び第２の映像信号を記録する制御を行う
請求項３記載の立体映像撮像システム。
【請求項５】
前記第１の計数部は、前記第１の撮像素子が発生させる前記垂直同期信号の発生回数を前記第１の処理フレームのフレーム数として計数し、
前記第１の同期制御部は、前記第１の処理フレームの垂直同期信号と前記第２の処理フレームの垂直同期信号が発生するタイミングを予め合わせ、前記第２の同期制御部が前記第２の処理フレームの間に挿入されている第２の垂直同期信号の発生回数を前記第２の処理フレームのフレーム数として計数する場合に、前記第２の撮像素子が前記第２の垂直同期信号を発生させる度に前記第２の同期制御部から受け取った前記第２の処理フレームのフレーム数と、前記第１の処理フレームのフレーム数との間で算出したフレーム数の差分値が複数のフレーム期間で一定である場合に算出した前記第２の処理フレームのフレーム数に前記複数のフレーム期間を加えたフレーム数を前記第２の同期制御部が動作を開始するタイミングとして前記第２の同期制御部に通知する
請求項１〜４のいずれか１項に記載の立体映像撮像システム。
【請求項６】
さらに、操作入力により第１の映像信号記録媒体のアクセスを切替える動作を指示する操作部を備え、
前記第１の同期制御部は、前記操作入力による指示を前記第２の同期制御部に通知すると共に、前記操作入力がされた時点より前記所定期間の経過後に通知した前記動作を行い、
前記第２の同期制御部は、前記第１の同期制御部から前記通知を受けた時点より前記所定期間の経過後に、前記第２の映像信号記録媒体のアクセスを切替える
請求項１〜５のいずれか１項に記載の立体映像撮像システム。
【請求項７】
前記第１の同期制御部は、前記第１の処理フレームの期間内に前記第１の処理フレームのフレーム数を前記第２の同期制御部に通知できない場合、又は前記第１の処理フレームの期間内に前記第２の同期制御部から前記第２の処理フレームのフレーム数を受け取ることができない場合に、前記第１の処理フレームに続くフレーム期間にわたって前記第１の処理フレームのフレーム数を前記第２の同期制御部に通知し、又は前記第２の同期制御部から前記第２の処理フレームのフレーム数を受け取る
請求項１〜６のいずれか１項に記載の立体映像撮像システム。
【請求項８】
前記第１の同期制御部は、所定の回数以上にわたって求めた前記差分値とは異なる第２の差分値を前記所定の回数未満にわたって求めた場合に、前記第２の差分値を破棄する
請求項１〜７のいずれか１項に記載の立体映像撮像システム。
【請求項９】
前記操作部の操作入力によって指示される動作には、撮像の開始若しくは停止、又は前記第１及び第２の映像信号記録媒体のアクセス切替えのいずれかが含まれ、前記第１及び第２の処理フレームには、撮像フレーム又は再生フレームのいずれかが含まれる
請求項１〜８のいずれか１項に記載の立体映像撮像システム。
【請求項１０】
第１のレンズを介して入射する被写体の入射光により第１の処理フレームで、第１の映像信号を出力する第１の撮像素子の動作を制御するステップと、
第１のアクセス制御部が前記第１の処理フレームで前記第１の映像信号を記録する複数の第１の映像信号記録媒体へのアクセスを制御するステップと、
前記第１のレンズから所定の距離だけ離して配置され、第２のレンズを介して入射する被写体の入射光により第２の処理フレームで、第２の映像信号を出力する第２の撮像素子の動作を制御するステップと、
第２のアクセス制御部が前記第２の処理フレームで前記第２の映像信号を記録する複数の第２の映像信号記録媒体へのアクセスを制御するステップと、
前記第１のアクセス制御部がアクセスする一の前記第１の映像信号記録媒体の残容量が不足すると、一の前記第１の映像信号記録媒体とは異なる他の第１の映像信号記録媒体へアクセスを切替えるタイミングを通知するステップと、
通知された前記タイミングに同期して、前記第２のアクセス制御部がアクセスする一の前記第２の映像信号記録媒体とは異なる他の前記第２の映像信号記録媒体へアクセスを切替えさせる制御を行うステップと、を含む
記録制御方法。
【請求項１１】
第１の処理フレームで第１の映像信号を再生する複数の第１の映像信号記録媒体へのアクセスを制御する第１のアクセス制御部と、
第２の処理フレームで第２の映像信号を再生する複数の第２の映像信号記録媒体へのアクセスを制御する第２のアクセス制御部と、
前記第１のアクセス制御部がアクセスする一の前記第１の映像信号記録媒体から再生される前記第１の映像信号のファイルがなくなると、一の前記第１の映像信号記録媒体とは異なる他の第１の映像信号記録媒体へアクセスを切替えるタイミングを通知する第１の同期制御部と、
通知された前記タイミングに同期して、前記第２のアクセス制御部がアクセスする一の前記第２の映像信号記録媒体とは異なる他の前記第２の映像信号記録媒体へアクセスを切替えさせる制御を行う第２の同期制御部と、を備える
立体映像再生システム。
【請求項１２】
第１のアクセス制御部が第１の処理フレームで第１の映像信号を再生する複数の第１の映像信号記録媒体へのアクセスを制御するステップと、
第２のアクセス制御部が第２の処理フレームで第２の映像信号を再生する複数の第２の映像信号記録媒体へのアクセスを制御するステップと、
前記第１のアクセス制御部がアクセスする一の前記第１の映像信号記録媒体から再生される前記第１の映像信号のファイルがなくなると、一の前記第１の映像信号記録媒体とは異なる他の第１の映像信号記録媒体へアクセスを切替えるタイミングを通知するステップと、
通知された前記タイミングに同期して、前記第２のアクセス制御部がアクセスする一の前記第２の映像信号記録媒体からとは異なる他の前記第２の映像信号記録媒体へアクセスを切替えさせる制御を行うステップと、を含む
再生制御方法。